(57)【要約】【課題】従来、火葬炉を備えた斎場では、火葬炉において発生する有害物質や浮遊粉塵、臭気等の処理は高度に行えるようになっているが、収骨室や告別室で発生した線香臭が拡散して他の一般室等に入り込むことを完全に防止するようにはしていない。また一般室等に脱臭装置を設けて線香臭を除去することもできるが、この場合には、設備費や維持費が負担になってしまう。【解決手段】そこで本発明では、線香臭や浮遊粉塵が発生する屋内空間４，５の空気を収集し、燃焼用空気の一部として火葬炉７に供給して線香臭と浮遊粉塵を処理する火葬炉を備えた斎場における空気浄化方法を提案している。【選択図】      図１
2004361016.tif 000002
【特許請求の範囲】
【請求項１】
火葬炉を備えた斎場において、線香臭や浮遊粉塵が発生する屋内空間の空気を収集し、燃焼用空気の一部として火葬炉に供給して線香臭と浮遊粉塵を処理することを特徴とする火葬炉を備えた斎場における空気浄化方法
【請求項２】
線香臭や浮遊粉塵が発生する屋内空間を、これらが発生しない隣接の屋内空間よりも負圧に維持し、負圧に維持された屋内空間を介して空気を収集することを特徴とする請求項１に記載の火葬炉を備えた斎場における空気浄化方法
【請求項３】
線香臭や浮遊粉塵が発生する複数の隣接した屋内空間において、発生量が多い側の屋内空間を、少ない側の屋内空間よりも負圧に維持し、負圧に維持された屋内空間を介して空気を収集することを特徴とする請求項１又は２に記載の火葬炉を備えた斎場における空気浄化方法
【請求項４】
負圧の維持は、夫々の屋内空間の給気量や排気量を調節して行うことを特徴とする請求項２又は３に記載の火葬炉を有する斎場における空気浄化方法
【請求項５】
負圧の維持は、隣接した屋内空間の間に差圧ダンパーを設けて行うことを特徴とする請求項２又は３に記載の火葬炉を有する斎場における空気浄化方法
【発明の詳細な説明】
【０００１】
【発明の属する技術分野】
本発明は、火葬炉を備えた斎場における空気浄化方法に関するものである。
【０００２】
【従来の技術】
焼却時に火葬炉において発生する燃焼ガス中には、浮遊粉塵やダイオキシン類、ＮＯｘ等の他、特有の臭成分が含まれているため、火葬炉では、これらを高度に除去するための処理装置が設けられており、このように高度に処理された排ガスを排出することにより、近隣に対する排ガスの影響を防ぐように配慮している。（例えば特許文献１，２参照。）
【０００３】
【特許文献１】
特開２００１−３０４５１１号公報
【特許文献２】
特開２００２−１１３２０号公報
【０００４】
一方、斎場では、収骨室や告別室で焚いた線香の臭いが、他の一般室に入り込んだり、斎場の近隣に拡散して影響を与えたりするため、従来、例えば斎場を構成する収骨室、告別室、炉前ホール、待合室、玄関ホール、事務室等の複数の屋内空間を、線香を焚くエリア毎、あるいは使用時間毎に空調ゾーニングを行って空調系統を区分し、ゾーニングした各空調系統に新鮮外気を供給すると共に、線香を焚くエリアに対応する空調系統では、空調排気を活性炭を充填した脱臭装置に通して脱臭した後に外気に排出することで線香臭の影響をなくすことが行われている。
【０００５】
【発明が解決しようとする課題】
しかしながら、上述した空調ゾーニングの方法では、斎場の収骨室や告別室で発生した線香臭が拡散して他の一般室等に入り込むことを完全に防止することはできない。そして線香臭は微量であっても臭いが感じられてしまう。
【０００６】
一般室等に脱臭装置を設けて線香臭を除去することもできるが、この場合には、設備費や維持費が負担になってしまう。
【０００７】
本発明は、以上の点に鑑み創案されたもので、火葬炉で発生する有害物質や線香臭は、火葬炉に備えられている各種の処理装置により、高度に処理して排出することができるということに着目し、特別の装置を設けずに線香臭等の影響をなくすことを目的とするものである。
【０００８】
【課題を解決するための手段】
上述した課題を解決するために、請求項１の発明では、火葬炉を備えた斎場において、線香臭や浮遊粉塵が発生する屋内空間の空気を収集し、燃焼用空気の一部として火葬炉に供給して線香臭と浮遊粉塵を処理することを特徴とする火葬炉を備えた斎場における空気浄化方法を提案する。
【０００９】
また請求項２の発明では、請求項１の発明において、線香臭や浮遊粉塵が発生する屋内空間を、これらが発生しない隣接の屋内空間よりも負圧に維持し、負圧に維持された屋内空間を介して空気を収集することを提案する。
【００１０】
また請求項３の発明では、請求項１又は２の発明において、線香臭や浮遊粉塵が発生する複数の隣接した屋内空間において、発生量が多い側の屋内空間を、少ない側の屋内空間よりも負圧に維持し、負圧に維持された屋内空間を介して空気を収集することを提案する。
【００１１】
そして請求項４の発明では、請求項２又は３の発明において、負圧の維持は、夫々の屋内空間の給気量や排気量を調節して行うことを提案する。
【００１２】
また請求項５の発明では、請求項２又は３の発明において、負圧の維持は、隣接した屋内空間の間に差圧ダンパーを設けて行うことを提案する。
【００１３】
請求項１の発明においては、斎場の屋内空間である、告別室と収骨室で線香を焚くことにより発生する線香臭や、遺骨からの浮遊塵埃等を、空調系統の空調空気排気経路等により収集して、当該屋内空間から除去し、収集した線香臭や浮遊塵埃は燃焼用空気の一部として火葬炉に供給することにより、特別な装置を設置せずに、火葬炉において高度に処理することができる。
【００１４】
請求項２の発明においては、線香臭や浮遊粉塵が発生する屋内空間を、これらが発生しない隣接の屋内空間よりも負圧に維持することにより、空気は、常に、線香臭や浮遊粉塵が発生しない屋内空間から、これらが発生する屋内空間へと流れるため、ある屋内空間において発生した線香臭や浮遊粉塵が、これらを発生しない屋内空間へと流入して汚染することを効果的に防止することができる。
【００１５】
請求項３の発明では、線香臭や浮遊粉塵が発生する屋内空間が隣接して複数有り、それらにおける発生量が異なる場合には、発生量が多い側の屋内空間を、少ない側の屋内空間よりも負圧に維持することにより、複数の屋内空間において発生した線香臭や浮遊粉塵を、負圧に維持された屋内空間、即ち線香臭や浮遊粉塵が多量に発生する屋内空間を介して効果的に収集することができる。
【００１６】
空気の流れは、このように線香臭や浮遊粉塵の発生量が少ない屋内空間から、発生量が多い屋内空間へと順次流れるため、夫々の屋内空間において線香臭や浮遊粉塵が自室での発生量よりも多くなることはない。
【００１７】
隣接した屋内空間の間の負圧の維持は、請求項４に示すように夫々の屋内空間の給気量や排気量を調節して行ったり、請求項５に示すように屋内空間の間に差圧ダンパーを設けて行うことができる。
【００１８】
【発明の実施の形態】
次に本発明の実施の形態を図１、図２を参照して説明する。
図１は本発明の空気浄化方法を適用した斎場の火葬棟の構成の実施の形態を示す立面図的系統図であり、図２は平面図である。
符号１は炉室であり、炉室１の上階には機械室２が配置されている。炉室１の前方には炉前ホール３が配置され、この炉前ホール３を隔てて、炉室１の対向位置には収骨室４ａ，４ｂと告別室５ａ，５ｂが配置されており、そしてこれらの収骨室４ａ，４ｂと告別室５ａ，５ｂに隣接して、炉前ホール３と逆側に前室６が配置されている。また炉室１内には火葬炉７と前室８が配置されている。
【００１９】
図１に示すように、火葬炉７の排ガスは排ガス排気経路９を通り、機械室２に設置された空気熱交換器１０とバグフィルター１１を経て排気用のファンＦ２により煙突１２から排出される構成としている。また前室８内の空気は前室排気経路１３を通り、上記空気熱交換器１０を経て排気用のファンＦ１により煙突１２から排出される構成としている。前室排気経路１３には、空気熱交換器１０の上流側に、機械室２に開口した排気吸引口１４に至る排気経路を分岐構成しており、前室８側と排気吸引口１４側の夫々に切換用のダンパｄ１，ｄ２を設けている。また機械室２には外気取入口１５を設けると共に、炉室１との間には連通口１６を設けている。
【００２０】
符号１７は炉前ホール３の屋上に設置した空調機であり、下側に空調空気供給部１８、上側に空調空気排気部１９を構成している。空調空気供給部１８の上流側（図中左側）には機械室２の外気取入口１５に至る外気取入経路２０を接続しており、この外気取入経路２０は熱交換器２１を通る経路と、これをバイパスする経路とを分岐・合流させており、それらの経路の夫々には切換用のダンパｄ３，ｄ４を設けている。
【００２１】
空調空気供給部１８の下流側には活性炭フィルタ２２、熱交換コイル２３を順次通り、給気用のファンＦ３を経て、夫々炉前ホール３、収骨室４ａ，４ｂ，告別室５ａ，５ｂ及び前室６に至る空調空気供給経路２４を構成しており、夫々にはダンパｄ５，ｄ６，ｄ７を設けている。
【００２２】
一方、空調機１７の空調空気排気部１９の上流側には、上記収骨室４ａ，４ｂ、告別室５ａ，５ｂ及び炉前ホール３の夫々からの空調空気還流経路２５を接続しており、夫々にはダンパｄ８，ｄ９を設けている。この実施の形態では前室６からは空調空気還流経路２５を構成しておらず、前室６内の空気は隣接する収骨室４ａ，４ｂ、告別室５ａ，５ｂを介して空調空気還流経路２５により排気する構成としている。
【００２３】
そして空調機１７の空調空気排気部１９のファンＦ４の下流側には、機械室２に設けた炉室１との連通口１６に対向して設置した吹出口２６に至る第１の屋内空気排気経路２７を接続しており、この第１の屋内空気排気経路２７にはダンパｄ１０を設けている。また空調機１７の空調空気排気部１９のファンＦ４よりも下流側には、空調空気供給部１８における活性炭フィルタ２２の上流側との間に経路切換用のダンパｄ１１を設けている。
【００２４】
更に収骨室４ａ，４ｂ及び告別室５ａ，５ｂの天井側には排気吸引口２８を構成しており、この排気吸引口２８から、上記熱交換器２１を通り、排気用のファンＦ５を経て上記吹出口２６に至る第２の屋内空気排気経路２９を構成しており、この第２の屋内空気排気経路２９にはダンパｄ１２を設けている。またこの実施の形態では、炉前ホール３の炉室１側にも排気吸引口３０を配置して、これを第２の屋内空気排気経路２９に接続している。
【００２５】
以上の構成において、火葬炉７で発生する燃焼ガス中の浮遊粉塵、ダイオキシン類、ＮＯｘや特有の臭成分は、炉に設置されている処理装置により高度に処理されて、排ガス排気経路９を通り、煙突１２を経て外気に排出される。
【００２６】
高温の排ガスは、排ガス排気経路９を流れる際、空気熱交換器１０において、前室排気経路１３を流れる前室８内の空気又は機械室２内の空気と熱交換して温度が低下し、次いでバグフィルタ１１において粉塵が除去された後、排気用のファンＦ２を経て煙突１２から外気に排出される。
【００２７】
一方、前室排気経路１３を流れる前室８内の空気又は機械室２内の空気は、熱交換器１０において排ガスと熱交換して、排ガスの温度を低下させると共に自体は温度が上昇した状態で、排気用のファンＦ１を経て煙突１２から外気に排出される。
【００２８】
次に、空調機１７に関する動作を説明する。まず空調機１７の空調空気供給部１８と空調空気排気部１９間のダンパｄ１１を開とし、第１の屋内空気排気経路２７のダンパｄ１０を閉にした運転状態では、炉前ホール３、収骨室４ａ，４ｂ及び告別室５ａ，５ｂ内の空気がファンＦ４により吸引されて空調空気還流経路２５を経て空調機１７の空調空気排気部１９に還流し、次いで開状態のダンパｄ１１を経て空調空気供給部１８に流入した後、活性炭フィルタ２２により線香臭や浮遊粉塵が除去され、熱交換コイル２３を経て所定温度の空調空気となり、ファンＦ３により空調空気供給経路２４を通り、夫々のダンパｄ５，ｄ６，ｄ７を経て、炉前ホール３、収骨室４ａ，４ｂ、告別室５ａ，５ｂ及び前室６に供給される。
【００２９】
上述したとおり、この実施の形態では前室６には空調空気還流経路２５を構成しておらず、前室６内の空気は隣接する収骨室４ａ，４ｂと告別室５ａ，５ｂを介して空調空気還流経路２５により排気される。
【００３０】
一方、中間期において、上記ダンパｄ１１を閉とすると共に、外気取入経路２０のダンパｄ３又はダンパｄ４を開とすると、外気取入口１５から吸引された外気は外気取入経路２０を経て空調機１７の空調空気供給部１８に流入し、次いで活性炭フィルタ２２，熱交換コイル２３を経て、空調空気供給経路２４を流れ、夫々のダンパｄ５，ｄ６，ｄ７を経て、炉前ホール３、収骨室４ａ，４ｂ、告別室５ａ，５ｂ及び前室６に供給される。こうして外気による空調、即ち効率の良い外気冷房を行うことができる。
【００３１】
この運転状態では、第１の屋内空気排気経路２７のダンパｄ１０は開であるため、炉前ホール３、収骨室４ａ，４ｂ及び告別室５ａ，５ｂ内の空気は、空調空気還流経路２５を経て空調機１７の空調空気排気部１９に還流した後、第１の屋内空気排気経路２７を流れて機械室２内の吹出口２６に至り、ここから連通口１６方向に吹き出す。
【００３２】
一方、上述したようにダンパｄ１１を開、ダンパｄ１０を閉として空調機１７を運転している場合には、第２の屋内空気排気経路２９のファンＦ５を運転することにより、収骨室４ａ，４ｂと告別室５ａ，５ｂ内の空気は、排気吸引口２８から吸引されて、第２の屋内空気排気経路２９を流れ、機械室２内の吹出口２６に至って、ここから連通口１６方向に吹き出す。
【００３３】
以上の空調動作においては、線香臭や浮遊粉塵が多量に発生する収骨室４ａ，４ｂ及び告別室５ａ，５ｂ内の気圧は、これらが全く発生しないか又はその発生量が少ない他の屋内空間である炉前ホール３や前室６内の気圧よりも低く、即ち負圧に維持する。
【００３４】
即ち、図２において、「−」の記号を示している収骨室４ａ，４ｂ、告別室５ａ，５ｂと炉室１は、隣接の他の屋内空間、即ち「＋」の記号を示している炉前ホール３、前室６よりも低く、即ち負圧に維持している。
【００３５】
このように負圧に維持する方法としては、隣接する複数の屋内空間、即ち、この場合、収骨室４ａ，４ｂ、告別室５ａ，５ｂ、炉前ホール３、前室６に対しての空調空気の給気量や排気量を調節して行ったり、又は隣接する屋内空間の間に差圧ダンパーを設けて行うことができる。
【００３６】
このように線香臭と浮遊粉塵が発生する屋内空間である収骨室４ａ，４ｂと告別室５ａ，５ｂ及び炉室１内の気圧を、炉前ホール３、前室６内の気圧よりも負圧に維持しているので、炉前ホール３と前室６内の空気は、気圧の差により常に炉室１及び収骨室４ａ，４ｂと告別室５ａ，５ｂ内へと流出する。従って炉室１内及び収骨室４ａ，４ｂと告別室５ａ，５ｂ内で発生した線香臭や浮遊粉塵が拡散して、炉前ホール３、前室６内を汚染することを防止することができる。
【００３７】
こうして線香臭と浮遊粉塵が発生する収骨室４ａ，４ｂ、告別室５ａ，５ｂ内の空気は、上述したように第１の屋内空気排気経路２７又は第２の屋内空気排気経路２９を流れて機械室２内の吹出口２６に至り、ここから連通口１６に向かって吹き出される。このように吹き出された線香臭と浮遊粉塵を含む空気は、連通口１６を経て炉室１内に流入し、ファンＦ６により、燃焼用空気の一部として火葬炉７に供給される。
【００３８】
こうして火葬炉７に燃焼用空気の一部として供給された空気中の線香臭と浮遊粉塵は、火葬炉７における従来からの適宜の処理装置、処理方法により、高度に処理されて除去される。
【００３９】
尚、この実施の形態では、必要に応じて、炉室１側に設けた炉前ホール３の排気吸引口３０から空気を吸引して上記第２の屋内空気排気経路２９を経て吹出口２６から吹き出すこともできる。
【００４０】
【発明の効果】
本発明は以上のとおりであるので、以下に示すような効果がある。
ａ．斎場の屋内空間である、告別室と収骨室で線香を焚くことにより発生する線香臭や、遺骨からの浮遊塵埃等を、空調系統の空調空気排気経路等により収集して、当該屋内空間から除去し、収集した線香臭や浮遊塵埃は燃焼用空気の一部として火葬炉に供給することにより、特別な処理装置を設置せずに、火葬炉において高度に処理することができる。
ｂ．線香臭や浮遊粉塵が発生する屋内空間を、これらが発生しない隣接の屋内空間よりも負圧に維持することにより、空気は、常に、線香臭や浮遊粉塵が発生しない屋内空間から、これらが発生する屋内空間へと流れるため、ある屋内空間において発生した線香臭や浮遊粉塵が、これらを発生しない屋内空間へと流入して汚染することを効果的に防止することができる。
【図面の簡単な説明】
【図１】本発明の空気浄化方法を適用した斎場の火葬棟の構成の実施の形態を示す立面図的系統図である。
【図２】図１の概略平面図である。
【符号の説明】
１              炉室
２              機械室
３              炉前ホール
４ａ，４ｂ      収骨室
５ａ，５ｂ      告別室
６              前室
７              火葬炉
８              前室
９              炉ガス排気経路
１０            空気熱交換器
１１            バグフィルター
１２            煙突
１３            前室排気経路
１４            排気吸引口
１５            外気取入口
１６            連通口
１７            空調機
１８            空調空気供給部
１９            空調空気排気部
２０            外気取入経路
２１            熱交換器
２２            活性炭フィルタ
２３            熱交換コイル
２４            空調空気供給経路
２５            空調空気還流経路
２６            吹出口
２７            第１の屋内空気排気経路
２８            排気吸引口
２９            第２の屋内空気排気経路
３０            排気吸引口
【図１】
2004361016.tif 000003
【図２】
2004361016.tif 000004